【手続補正書】
【提出日】平成20年4月24日(2008.4.24)
【手続補正１】
【補正対象書類名】明細書
【補正対象項目名】特許請求の範囲
【補正方法】変更
【補正の内容】
【特許請求の範囲】
【請求項１】  凸曲面状の第１の光学面の光軸方向の長さをサグ量（Ｚ）とし、
前記光学面の光学的に有効な部分の光軸に直交する方向の長さを光学有効径（Ｄ）としたとき、
０．３≦Ｚ／Ｄ≦０．５を満たすように形成されている光学レンズ。
【請求項２】  前記第１の光学面が非球面である請求項１に記載の光学レンズ。
【請求項３】  前記凸曲面状の第１の光学面の反対面が、第２の光学面を成している請求項１に記載の光学レンズ。
【請求項４】  前記第２の光学面が、凸曲面状光学面を成している請求項３に記載の光学レンズ。
【請求項５】  前記第２の光学面が、凹曲面状光学面を成している請求項３に記載の光学レンズ。
【請求項６】  前記第１の光学面が、金型を用いて形成されている請求項１乃至請求項５のいずれか１項に記載の光学レンズ。
【請求項７】  前記第１の光学面は、前記金型の凹部と形状の一致する面である請求項６に記載の光学レンズ。
【請求項８】  前記凸曲面状の第１の光学面と、その反対面の前記第２の光学面との間に、光学面でないフランジ状のコバ部が形成されている請求項３乃至請求項５のいずれか１項に記載の光学レンズ。
【請求項９】  前記サグ量（Ｚ）が、前記凸曲面状の第１の光学面の先端から、前記コバ部までの光軸方向の長さに相当する請求項８に記載の光学レンズ。
【請求項１０】  光ビームを出射する光源と、
該光源から出射された光ビームを光ディスクに集束させる対物レンズと、
前記光ディスクからの戻り光ビームを受け取る光検出器と、
を備え、
前記対物レンズが、光源側に凸曲面状の第１の光学面の光軸方向の長さをサグ量（Ｚ）とし、
前記光学面の光学的に有効な部分の光軸に直交する方向の長さを光学有効径（Ｄ）としたとき、
０．３≦Ｚ／Ｄ≦０．５を満たすように形成されている光学ピックアップ装置。
【請求項１１】  前記対物レンズの前記第１の光学面が非球面である請求項１０に記載の光学ピックアップ装置。
【請求項１２】  前記対物レンズの前記凸曲面状の第１の光学面の反対面が、第２の光学面を成している請求項１０に記載の光学ピックアップ装置。
【請求項１３】  前記対物レンズの前記第２の光学面が、凸曲面状光学面を成している請求項１２に記載の光学ピックアップ装置。
【請求項１４】  前記対物レンズの前記第２の光学面が、凹曲面状光学面を成している請求項１２に記載の光学ピックアップ装置。
【請求項１５】  前記対物レンズの前記第１の光学面が、金型を用いて形成されている請求項１０乃至請求項１４のいずれか１項に記載の光学ピックアップ装置。
【請求項１６】  前記対物レンズの前記第１の光学面は、前記金型の凹部と形状の一致する面である請求項１５に記載の光学ピックアップ装置。
【請求項１７】  前記対物レンズの前記凸曲面状の第１の光学面と、その反対面の前記第２の光学面との間に、光学面でないフランジ状のコバ部が形成されている請求項１２乃至請求項１４のいずれか１項に記載の光学ピックアップ装置。
【請求項１８】  前記対物レンズの前記サグ量（Ｚ）が、前記凸曲面状の第１の光学面の先端から、前記コバ部までの光軸方向の長さに相当する請求項１７に記載の光学ピックアップ装置。
【請求項１９】  光ディスクを回転させる光ディスク駆動装置と、
光源から出射された光ビームを少なくともフォーカシング方向に制御駆動される対物レンズを介して光ディスクに集束させると共に該光ディスクからの戻り光を受け取る光学ピックアップ装置と、
を備え、
前記対物レンズが、光源側に凸曲面状の第１の光学面の光軸方向の長さをサグ量（Ｚ）とし、
前記光学面の光学的に有効な部分の光軸に直交する方向の長さを光学有効径（Ｄ）としたとき、
０．３≦Ｚ／Ｄ≦０．５を満たすように形成されている光ディスク装置。
【請求項２０】  前記対物レンズの前記第１の光学面が非球面である請求項１９に記載の光ディスク装置。
【請求項２１】  前記対物レンズの前記凸曲面状の第１の光学面の反対面が、第２の光学面を成している請求項１９に記載の光ディスク装置。
【請求項２２】  前記対物レンズの前記第２の光学面が、凸曲面状光学面を成している請求項２１に記載の光ディスク装置。
【請求項２３】  前記対物レンズの前記第２の光学面が、凹曲面状光学面を成している請求項２１に記載の光ディスク装置。
【請求項２４】  前記対物レンズの前記第１の光学面が、金型を用いて形成されている請求項１９乃至請求項２３のいずれか１項に記載の光ディスク装置。
【請求項２５】  前記対物レンズの前記第１の光学面は、前記金型の凹部と形状の一致する面である請求項２４に記載の光ディスク装置。
【請求項２６】  前記対物レンズの前記凸曲面状の第１の光学面と、その反対面の前記第２の光学面との間に、光学面でないフランジ状のコバ部が形成されている請求項２１乃至請求項２３のいずれか１項に記載の光ディスク装置。
【請求項２７】  前記対物レンズの前記サグ量（Ｚ）が、前記凸曲面状の第１の光学面の先端から、前記コバ部までの光軸方向の長さに相当する請求項２６に記載の光ディスク装置。
【手続補正２】
【補正対象書類名】明細書
【補正対象項目名】００１０
【補正方法】変更
【補正の内容】
【００１０】
【発明が解決しようとする課題】
前述したように、前記対物レンズ３を製造する場合、前記プリフォーム材３８を前記凹部３６に投入した時に、前記プリフォーム材３８がその自重により前記凹部３６上を転動し、前記プリフォーム材３８と前記凹部３６との間で中心出しが行われるようになっている必要がある。しかしながら、前記光学面１９、すなわち、前記凹部３６は曲率半径が大きいため、図１２に示すように、前記プリフォーム材３８が前記凹部３６上をうまく転動せず、両者間での中心出しが不完全な状態のまま成形が行なわれることがあった。その場合には、図１３に示すように、前記キャビティ２９，３４と前記ダイ３０，３５との隙間に前記プリフォーム材３８が流れ込み、前記キャビティ２９，３４、ダイ３０，３５を破損するオーバーパック現象３９を発生させたり、或いは、前記プリフォーム材３８が前記空間３７内に完全に充填されず、偏肉４０が生じ、コマ収差等、収差の非対称成分が発生したりするおそれがあった。
【手続補正３】
【補正対象書類名】明細書
【補正対象項目名】００１２
【補正方法】変更
【補正の内容】
【００１２】
【課題を解決するための手段】
本発明に係る光学レンズは、凸曲面状の第１の光学面の光軸方向の長さをサグ量（Ｚ）とし、前記光学面の光学的に有効な部分の光軸に直交する方向の長さを光学有効径（Ｄ）としたとき、０．３≦Ｚ／Ｄ≦０．５を満たすように形成されている。
【手続補正４】
【補正対象書類名】明細書
【補正対象項目名】００１３
【補正方法】変更
【補正の内容】
【００１３】
また、前記第１の光学面が非球面であるように構成してもよい。また、前記凸曲面状の第１の光学面の反対面が、第２の光学面を成している。また、前記第２の光学面が、凸曲面状光学面を成しているように構成してもよい。また、前記第２の光学面が、凹曲面状光学面を成しているように構成してもよい。また、前記第１の光学面が、金型を用いて形成されているように構成してもよい。また、前記第１の光学面は、前記金型の凹部と形状の一致する面であるように構成してもよい。また、前記凸曲面状の第１の光学面と、その反対面の前記第２の光学面との間に、光学面でないフランジ状のコバ部が形成されているように構成してもよい。さらに、前記サグ量（Ｚ）が、前記凸曲面状の第１の光学面の先端から、前記コバ部までの光軸方向の長さに相当するようにしてもよい。
【手続補正５】
【補正対象書類名】明細書
【補正対象項目名】００１４
【補正方法】変更
【補正の内容】
【００１４】
また、本発明に係る光学ピックアップ装置は、光ビームを出射する光源と、該光源から出射された光ビームを光ディスクに集束させる対物レンズと、前記光ディスクからの戻り光ビームを受け取る光検出器とを備え、前記対物レンズが、光源側に凸曲面状の第１の光学面の光軸方向の長さをサグ量（Ｚ）とし、前記光学面の光学的に有効な部分の光軸に直交する方向の長さを光学有効径（Ｄ）としたとき、０．３≦Ｚ／Ｄ≦０．５を満たすように形成されている。
【手続補正６】
【補正対象書類名】明細書
【補正対象項目名】００１５
【補正方法】変更
【補正の内容】
【００１５】
さらに、本発明に係る光ディスク装置は、光ディスクを回転させる光ディスク駆動装置と、光源から出射された光ビームを少なくともフォーカシング方向に制御駆動される対物レンズを介して光ディスクに集束させると共に該光ディスクからの戻り光を受け取る光学ピックアップ装置とを備え、前記対物レンズが、光源側に凸曲面状の第１の光学面の光軸方向の長さをサグ量（Ｚ）とし、前記光学面の光学的に有効な部分の光軸に直交する方向の長さを光学有効径（Ｄ）としたとき、０．３≦Ｚ／Ｄ≦０．５を満たすように形成されている。
【手続補正７】
【補正対象書類名】明細書
【補正対象項目名】００１８
【補正方法】変更
【補正の内容】
【００１８】
図１は本発明の実施の形態に係る対物レンズ４１を示しており、該対物レンズ４１は、例えば、ガラス製であり、凸曲面状の光学面４２と、該光学面４２の基端側に形成されたフランジ状のコバ部４４とを備えている。該コバ部４４の該光学面４２側にはさらに別の光学面４５が形成され、該別の光学面４５は、例えば、凹曲面状を成し、負の屈折力を有しており、前記対物レンズ４１はメニスカスレンズとなっている。前記光学面４２のサグ量Ｚと光学有効径Ｄとの割合、すなわち、Ｚ／Ｄの値は０．３以上となっている。したがって、前記光学面４２は曲率半径が小さく、屈折力を大きくとれるので、前記別の光学面４５の屈折力を変えることにより、前記対物レンズ４１の開口数を広範囲に変えることができるようになっている。また、前記光学面４２、前記別の光学面４５は非球面状を成している。
【手続補正８】
【補正対象書類名】明細書
【補正対象項目名】００２０
【補正方法】変更
【補正の内容】
【００２０】
また、前記プレス成形機２４により前記対物レンズ４１を成形する手順も従来と同様であるので、その手順の詳細な説明は省略するが、前記下キャビティ４７の凹部４９は曲率半径が小さく深いので、球状のプリフォーム材３８を前記凹部４９に投入した時に、図２及び図３に示すように、前記プリフォーム材３８の芯と前記凹部４９の芯とが確実に一致する。そのため、前記プリフォーム材３８の加圧時にオーバーパック現象により前記キャビティ４７，４８等が破損したり、偏肉が生じ、コマ収差等、収差の非対称成分が発生したりすることがなくなる。また、前記プリフォーム材３８は、図６に示すように、前記対物レンズ４１にできるだけ近似した形状、特に、前記光学面４２の曲率半径と近似した曲率半径を有しているものを使用するのが好ましい。この場合には、容易且つ均一の圧力で成形できるので、レンズの形状精度が一層向上すると共に前記キャビティ４７，４８等へのダメージも一層軽減される。そして、前述した手順により、Ｚ＝１．５３ｍｍ、Ｄ＝３．８ｍｍで、Ｚ／Ｄが約０．４のメニスカスレンズを成形したところ、良好な収差を得ることができた。